(57)【特許請求の範囲】
【請求項１】
用紙カセットと用紙タイプを対応づけて記憶する記憶手段と、
外部の装置から画像データと、前記画像データに基づく印刷に用いられる用紙の用紙タイプを受信する受信手段と、
前記受信手段により受信された用紙タイプと対応づけて前記記憶手段に記憶された用紙カセットを選択する選択手段と、
前記選択手段により選択された用紙カセットから給紙される用紙に画像を印刷する印刷手段と、
いずれの用紙タイプにも対応づけられていない用紙カセットから給紙される用紙の用紙タイプを検知する検知手段と、
いずれの用紙タイプにも対応づけられていない前記用紙カセットから給紙された用紙に対する前記検知手段の検知結果を、前記用紙カセットと対応づけて前記記憶手段に登録する登録手段と、
を有することを特徴とする画像形成装置。
【請求項２】
前記記憶手段は、用紙カセットと用紙サイズを対応づけて記憶し、
前記受信手段は、外部の装置から画像データと用紙タイプに加え、前記画像データに基づく印刷に用いられる用紙の用紙サイズを受信し、
前記選択手段は、前記受信手段により受信された用紙タイプと用紙サイズに対応づけられた用紙カセットが前記記憶手段に記憶されている場合、前記用紙タイプと前記用紙サイズに対応づけられた用紙カセットを選択し、前記受信手段により受信された用紙タイプと用紙サイズに対応づけられた用紙カセットが前記記憶手段に記憶されていない場合、前記用紙サイズに対応する用紙カセットを選択することを特徴とする請求項１に記載の画像形成装置。
【請求項３】
前記選択手段は、前記受信手段により受信された用紙タイプと用紙サイズに対応づけられた用紙カセットが前記記憶手段に記憶されていない場合、いずれの用紙タイプにも対応づけられていない用紙カセットを選択することを特徴とする請求項２に記載の画像形成装置。
【請求項４】
前記検知手段は、前記選択手段により選択されたいずれの用紙タイプにも対応づけられていない用紙カセットから給紙される用紙の用紙タイプを検知することを特徴とする請求項３に記載の画像形成装置。
【請求項５】
前記検知手段は、前記選択手段が前記受信手段により受信された用紙タイプに対応づけられた用紙カセットを選択したことに従って、前記選択手段により選択された用紙カセットから給紙される用紙の用紙タイプを検知しないことを特徴とする請求項４に記載の画像形成装置。
【請求項６】
前記選択手段は、前記受信手段により受信された用紙タイプに対応づけられた用紙カセットが前記記憶手段に記憶されていないことに従って、いずれの用紙タイプにも対応づけられていない用紙カセットを選択し、
前記印刷手段は、前記受信手段により受信された用紙タイプと、前記検知手段により検知された用紙タイプが一致する場合、前記選択手段により選択された用紙カセットから給紙された用紙に画像を印刷することを特徴とする請求項１乃至５のいずれか一項に記載の画像形成装置。
【請求項７】
前記印刷手段は、前記受信手段により受信された用紙タイプが前記検知手段により検知された用紙タイプと異なることに従って、前記選択手段により選択された用紙カセットから給紙される用紙に画像を印刷しないことを特徴とする請求項６に記載の画像形成装置。
【請求項８】
前記用紙タイプは、前記用紙カセットから給紙される用紙の厚み、又は、表面性を示す情報であることを特徴とする請求項１乃至７のいずれか一項に記載の画像形成装置。
【請求項９】
前記登録手段は、用紙カセットに対してユーザにより指定された用紙タイプを登録できることを特徴とする請求項１乃至８のいずれか一項に記載の画像形成装置。
【請求項１０】
前記検知手段は、用紙カセットから給紙された用紙が前記印刷手段に到達するまでの間に用紙タイプを検知することを特徴とする請求項１乃至９のいずれか一項に記載の画像形成装置。
【請求項１１】
用紙カセットに収容された用紙の用紙サイズを検知するサイズ検知手段をさらに有し、
前記登録手段は、用紙カセットに用紙が収容されたことに従って、前記サイズ検知手段により検知された用紙サイズと前記用紙カセットを対応づけて記憶することを特徴とする請求項１乃至１０のいずれか一項に記載の画像形成装置。
【請求項１２】
外部の装置から画像データと、前記画像データから生成される画像の印刷に用いられる用紙の用紙タイプを受信する受信工程と、
前記受信工程において受信された用紙タイプに基づいて、記憶手段に記憶された用紙カセットから用紙の給紙元となる用紙カセットを選択する選択工程と、
前記選択工程において選択された用紙カセットから用紙を搬送する搬送工程と、
前記選択工程において選択された用紙カセットに対応づけられた用紙タイプを用いて、前記搬送工程において搬送される用紙に画像を印刷する印刷工程と、
前記選択工程において選択されたいずれの用紙タイプにも対応づけられていない用紙カセットから搬送される用紙の用紙タイプを検知する検知工程と、
前記検知工程において検知された用紙タイプと前記選択工程において選択された用紙カセットを対応づけて記憶手段に登録する登録工程と、
を含むことを特徴とする画像形成装置の制御方法。
【請求項１３】
請求項１２に記載の画像形成装置の制御方法をコンピュータが実行させるためのプログラム。
【発明の詳細な説明】
【技術分野】
【０００１】
本発明は、画像形成装置、画像形成装置の制御方法及びプログラムに関する。
【背景技術】
【０００２】
プリンタ等の画像形成装置は、ＰＣ等の外部装置からプリントジョブを受信し、受信データに記載された給紙設定情報（用紙設定、カセット指定）と画像形成装置のカセットに設定されている用紙設定情報とを比較する。そして、画像形成装置は、適切な用紙がセットされているカセット（手差しトレイも含む用紙カセットをカセットと表記する）を選択して印刷を実行する。各カセットの用紙設定情報には用紙サイズ及び用紙タイプ（普通紙、厚紙等）があり、それに応じて画像形成装置は印刷部の用紙の搬送速度やトナーの定着温度を調整して印刷を実行する。用紙タイプとは用紙の種類を示し坪量（単位面積当たりの重さ）と表面性とによって定義される。例えば、厚さが異なる用紙はその坪量によって普通紙、薄紙、厚紙等に分類される。更に普通紙のなかでも普通紙１、普通紙２、普通紙３等に細分化される場合もある。例えば、材質が異なる用紙はその表面性によってＯＨＰフィルムやコート紙等に分類される。
【０００３】
各カセットの用紙設定情報はユーザが手動で設定するケースと、センサによりセットされた用紙を検知して画像形成装置が自動で設定するケースとがある。従来から用紙サイズについてセンサにより自動検知する画像形成装置が存在するが、近年は用紙タイプ（普通紙、厚紙等）をセンサにより自動検知できる画像形成装置も登場している。この用紙タイプ検知によりユーザはカセットに用紙をセットした際に手動で設定する必要がなく画像形成装置の利便性を高めている。但し、この用紙タイプ検知は用紙がカセットにセットされた状態ではなくカセットから排紙トレイへの用紙搬送時の状態で実施される。したがって、画像形成装置は、ユーザがカセットに用紙をセットして以降のプリントジョブにおいて用紙タイプ検知を実施し、検知結果をカセットの用紙設定情報として登録する。特許文献１では用紙タイプ検知を行ってカセットの用紙設定情報として記憶する技術が提示されている。
【先行技術文献】
【特許文献】
【０００４】
【特許文献１】特開２０１４−１３３６５６号公報
【発明の概要】
【発明が解決しようとする課題】
【０００５】
しかしながらプリントジョブの給紙設定情報で用紙タイプが指定されている場合は用紙タイプ検知が実施できないため、カセットが選択できず用紙なしでジョブが停止してしまうという課題がある。なぜなら前述したように用紙タイプ検知は用紙がカセットにセットされた状態ではなくカセットから排紙トレイへの用紙搬送時の状態で実施される。つまり、用紙タイプが指定されている（例えば普通紙）ジョブに対して用紙タイプが特定されていない状態（例えば実際は厚紙がセットされている）で印刷を実施することが許容されないためである。用紙なしでジョブ停止が発生してしまうとそのジョブが実行できないだけでなく後続ジョブも待たされて停止してしまう。後続ジョブで実行可能なジョブがあった場合でも停止してしまう。
【課題を解決するための手段】
【０００６】
そこで、本発明の画像形成装置は、用紙カセットと用紙タイプを対応づけて記憶する記憶手段と、外部の装置から画像データと、前記画像データに基づく印刷に用いられる用紙の用紙タイプを受信する受信手段と、前記受信手段により受信された用紙タイプと対応づけて前記記憶手段に記憶された用紙カセットを選択する選択手段と、前記選択手段により選択された用紙カセットから給紙される用紙に画像を印刷する印刷手段と、いずれの用紙タイプにも対応づけられていない用紙カセットから給紙される用紙の用紙タイプを検知する検知手段と、いずれの用紙タイプにも対応づけられていない前記用紙カセットから給紙された用紙に対する前記検知手段の検知結果を、前記用紙カセットと対応づけて前記記憶手段に登録する登録手段と、を有することを特徴とする。
【発明の効果】
【０００７】
本発明によれば、用紙なしで不要にジョブが停止することを回避し、ユーザの利便性を向上させることができる。
【図面の簡単な説明】
【０００８】
【図１】画像形成装置のハードウェア構成の一例を示す図である。
【図２】画像形成装置の印刷部における用紙搬送路とセンサとの構成図である。
【図３】用紙タイプ検知を用いた用紙タイプ登録の一例を示す図である。
【図４】用紙タイプ未登録状態の定義を説明するための図である。
【図５】プリンタドライバの印刷設定画面の一例を示す図である。
【図６】プリントジョブの給紙設定情報の一例を示す図である。
【図７】用紙タイプ検知を実施する動作の一例を示す図である。
【図８】本実施形態の情報処理の一例を示すフローチャートである。
【発明を実施するための形態】
【０００９】
以下、本発明の実施形態について図面に基づいて説明する。
【００１０】
＜実施形態１＞
本実施形態の画像形成装置は、カセットの用紙設定情報として用紙サイズと用紙タイプとを含み、それぞれの設定値はユーザによる手動登録手段又は自動検知による自動登録手段により登録される。手動登録手段とは後述する図１の操作部１０５に表示される用紙設定画面内の設定項目一覧からユーザが選択し、設定し、登録する手段である。自動登録手段とは後述する図２の用紙サイズ検知センサ７１０と用紙タイプ検知センサ７０９とによって画像形成装置が自動検知して登録する手段である。
本実施形態において用紙サイズは自動登録の場合でも用紙がセットされた時点で自動検知が実施されるため常に登録済みの状態であるとする。一方、用紙タイプは自動登録の場合は用紙がセットされた初期状態から用紙タイプ検知が実施されるまでの期間は未登録の状態が存在する。用紙タイプが未登録の状態である定義については図４で後述する。
【００１１】
図１は、画像形成装置のハードウェア構成の一例を示す図である。
画像形成装置１０１は、外部装置接続部１０２を持つ。外部装置接続部１０２は、ＬＡＮやＵＳＢによって外部装置と通信し、画像データ等の送受信を行う。画像形成装置１０１は、画像生成部１０３を持つ。画像生成部１０３は、外部装置接続部１０２で取得したＰＤＬデータを画像に展開して色空間変換や色濃度等所定の画像処理を行って画像データを生成する。画像形成装置１０１は、紙媒体をセットするカセットを含む印刷部１０４を持つ。印刷部１０４は、画像生成部１０３で生成した画像データをセットされた紙媒体に印字する。印刷部１０４は、紙媒体がセットされた状態でその用紙サイズを検知することができる。印刷部１０４は、紙媒体を搬送する際に用紙タイプ（普通紙、厚紙等）を検知することができる。画像形成装置１０１は操作部１０５を持つ。操作部１０５は、キーや表示パネル等のユーザインターフェースを有し、ユーザからの動作要求を受け付ける。画像形成装置１０１は、ＣＰＵ１０６とＲＯＭ１０７と記憶部１０８とを持つ。ＣＰＵ１０６は、画像形成装置１０１の制御部であり、装置全体を制御する。ＲＯＭ１０７は、ＣＰＵ１０６の制御プログラムを格納するためのものである。記憶部１０８は、ＣＰＵ１０６の制御プログラムの変数や画像データを格納する揮発性メモリである。
ＣＰＵ１０６がＲＯＭ１０７又は記憶部１０８等に記憶されたプログラムに基づき処理を実行することによって、画像形成装置１０１の機能及び後述するフローチャートの処理が実現される。
【００１２】
図２は、画像形成装置１０１の印刷部１０４における用紙搬送路とセンサとの構成図である。画像形成装置１０１は、用紙カセット７０３、画像形成部７０７、メイン搬送路７４０、排出搬送路７４１、反転用搬送路７４２及び両面ユニット７３０を含む。また、画像形成装置１０１は、各搬送路において用紙を搬送するために、複数のローラ、例えば、給送ローラ７０２、レジストローラ７０４及び排出ローラ７２０を含む。更に、画像形成装置１０１は、装置内の用紙を検知するための複数のセンサ、例えば、用紙有無センサ７０１、用紙サイズ検知センサ７１０、レジストセンサ７０５、用紙検知センサ７０６、排出センサ７０８、用紙タイプ検知センサ７０９を含む。
用紙カセット７０３は、給送手段として機能し、画像を形成する用紙を装置内に供給する。画像形成部７０７は、用紙に画像を形成するために、露光部、感光体ドラム及び現像部を含む。画像形成部７０７は、露光部により像担持体としての感光体ドラム上に静電潜像を形成する。形成された静電潜像は、現像部により現像され、所定の転写位置で用紙に転写される。用紙に形成されたトナー像は定着装置により加熱及び加圧されることにより、当該用紙に形成されたトナー像を定着させる。
【００１３】
メイン搬送路７４０は、給送ローラ７０２から排出ローラ７２０までに配置され、用紙に画像を形成する搬送路である。排出搬送路７４１は、排出ローラ７２０から画像形成装置１０１の機外までに配置され、用紙を機外へ排出する搬送路である。また、排出搬送路７４１は、用紙の両面に印刷する場合、表面に画像が形成された用紙を反転用搬送路７４２に搬送するための搬送路でもある。反転用搬送路７４２は、排出ローラ７２０からレジストローラ７０４までに配置され、メイン搬送路７４０に表裏を反転させた用紙を供給するための搬送路である。
給送ローラ７０２は、用紙カセット７０３に載置された用紙を１枚ずつ装置内へ搬送する。レジストローラ７０４は、搬送されてきた用紙について、画像形成部７０７で画像を転写するタイミングを調整するローラである。排出ローラ７２０は、用紙を機外へ排出するためのローラである。また、排出ローラ７２０は、用紙の両面に印刷する場合、表面に画像が形成された用紙を排出搬送路７４１に搬送した後に、逆回転して当該用紙を反転用搬送路７４２へ搬送する。
【００１４】
用紙有無センサ７０１は、用紙カセット７０３に載置される用紙の有無を検知するセンサである。用紙サイズ検知センサ７１０は、用紙カセット７０３に載置される用紙のサイズを検知するセンサである。レジストセンサ７０５、用紙検知センサ７０６及び排出センサ７０８は、搬送されてきた用紙を検知する。これらのセンサは、メカ的な構成のスイッチでも光学的な構成のセンサでもよい。レジストセンサ７０５は、搬送されてきた用紙と、感光体ドラムに形成されたトナー像との転写タイミングを調整するために用いられる。また、レジストセンサ７０５は、用紙の副走査方向の長さを測定するためにも用いられる。用紙の副走査方向の長さは、レジストセンサ７０５が搬送されてきた用紙を検知している時間と、用紙の搬送速度とから求められる。用紙検知センサ７０６は、メイン搬送路７４０の両端部における用紙の有無を検知し、用紙の主走査方向の長さを求めるために用いられる。
用紙タイプ検知センサ７０９は、用紙の厚さ（坪量）や用紙の粗さ（表面性）を検知するためのセンサである。用紙タイプ検知を実施する場合は用紙カセット７０３から用紙が給紙された後、用紙タイプ検知センサ７０９の位置で用紙が一時停止させられて用紙タイプの検知が行われる。用紙タイプ検知センサ７０９は、光学的及び超音波による検知手段を持ち、用紙表側に光を当ててその反射光の信号から表面性を判断し、用紙表側から超音波を当てて用紙裏側で受信する信号から坪量を判断する。
【００１５】
図３は、用紙タイプ検知を用いた用紙タイプ登録の一例を示す図である。図３では、画像形成装置のカセットの用紙設定情報（用紙タイプ）が未登録の状態からプリントジョブに伴って用紙タイプの検知を実施して登録する動作を示している。画像形成装置１０１は２つのカセットを持ち、用紙設定情報２０２、２０３、２０４はそれぞれの状態においてカセットに設定されている用紙設定情報の状態を示す。用紙設定情報２０２のカセット１では用紙サイズはＡ４が登録され、用紙タイプには自動検知の結果が設定されており以前の検知結果である普通紙が登録されている。その後、用紙交換が行われてカセット１が開閉された後には用紙設定情報は用紙設定情報２０３に変化し、用紙サイズはＬＴＲが登録され、用紙タイプは未登録の状態となる。その後、画像形成装置１０１がプリントジョブを受信してカセット１から給紙して印刷する場合に用紙タイプ検知を実施して用紙設定情報は用紙設定情報２０４に変化する。その結果、用紙設定情報２０４のカセット１の用紙タイプは検知結果の普通紙が登録された状態になる。プリントジョブはジョブデータの一例である。
【００１６】
図４は、用紙タイプ未登録状態の定義を説明するための図である。図４では、画像形成装置のカセットの用紙タイプが登録されていない状態、即ち用紙タイプの自動検知を実施すべき状態である用紙タイプ未登録状態の定義を示している。前述のように用紙タイプの登録手段は手動登録と自動登録とが存在し、画像形成装置は両方又は何れか一方の手段を有する場合がある。ここでは画像形成装置が有する登録手段の組合せを仕様パターンと呼び、仕様パターンごとの用紙タイプ未登録状態の定義を説明する。仕様パターン１は登録手段として手動登録と自動登録とを有し各カセットに何れかの登録手段が設定される。ここでの用紙タイプ未登録状態とは、手動登録設定である場合にユーザがまだ設定を行っていない状態、又は自動登録設定である場合に図３で説明したプリントジョブに伴う自動検知が実施される前の状態である。仕様パターン２は登録手段として手動登録のみ有し、ここでの用紙タイプ未登録状態とはユーザがまだ設定を行っていない状態である。仕様パターン３は登録手段として自動登録のみ有し、ここでの用紙タイプ未登録状態とは図３で説明したプリントジョブに伴う自動検知が実施される前の状態である。
【００１７】
図５は、プリンタドライバの印刷設定画面の一例を示す図である。図５では、画像形成装置へプリントジョブを送信するＰＣ内のアプリケーションソフトの画面例を示している。ここではプリントジョブに含まれるカセットや用紙タイプ等の給紙設定情報の設定方法の例を説明する。画面構成は全体の印刷設定画面８０１内に項目タブ８０２と項目設定画面８０３又は８０５とで構成される。項目タブ８０２は基本設定、ページ設定、仕上げ、給紙、印刷品質等の各設定項目を持つ。選択中の項目の設定画面が項目設定画面８０３及び８０５として表示される。ここで項目設定画面８０３及び８０５は給紙の設定画面である。給紙の設定画面はユーザが用紙の指定方法をカセットと用紙タイプとの何れかを選択し、更にそれに応じた詳細項目を設定する画面である。つまり用紙の指定方法としてカセットで指定するか用紙タイプで指定するかは排他的であり、指定されていない方法に対してどのカセット又はどの用紙タイプでも許容する任意設定となる。項目設定画面８０３は用紙の指定方法でカセットを選択した状態である。ユーザは詳細項目画面８０４においてカセットの一覧から指定のカセットを選択する。詳細項目画面８０４ではカセット１が選択された状態である。詳細項目画面８０４で自動が選択された場合は、どのカセットも許容する任意設定となる。
項目設定画面８０５は用紙の指定方法で用紙タイプを選択した状態である。ユーザは詳細項目画面８０６において用紙タイプの一覧から指定の用紙タイプを選択する。詳細項目画面８０６では普通紙が選択された状態である。
【００１８】
図６は、プリントジョブの給紙設定情報の一例を示す図である。図６では、画像形成装置が受信するプリントジョブに記載される給紙設定情報の内容を示している。給紙設定情報の項目にはカセット、用紙タイプ、用紙サイズがある。カセットには給紙するカセットを指定する設定であり、自動（指定しない）又は固定値（カセット１等個別に指定）が設定される。用紙タイプには印刷に使用する用紙タイプを指定する設定であり、固定値（普通紙等個別に指定）が設定される。但し、カセットと用紙タイプとは何れかが排他的に設定されるものとし、設定されていない項目は指定なしとして扱われる。用紙サイズは印刷に使用する用紙サイズを指定する設定であり、固定値（Ａ４等個別に指定）が設定される。したがって図６に示すように３つの設定パターンになる。
【００１９】
図７は、用紙タイプ検知を実施する動作の一例を示す図である。図７では、用紙なし発生時の用紙タイプ検知であり、画像形成装置がカセットの用紙タイプが未登録の状態で用紙タイプが指定されたプリントジョブを受信した場合に用紙タイプ検知を実施する動作を示している。画像形成装置１０１は２つのカセットを持ち、カセットの用紙設定情報ははじめ５０３のようにカセット１の用紙サイズはＡ４、用紙タイプは未登録、カセット２の用紙サイズはＬＴＲ、用紙タイプは普通紙が登録された状態である。
まず用紙タイプの指定がないプリントジョブ５０２を受信した場合について説明する。画像形成装置１０１は、プリントジョブの給紙設定情報と各カセットの用紙設定情報とを比較し、給紙設定情報でカセットや用紙タイプが指定されていないので用紙サイズが一致するカセット１を選択し、カセット１から給紙してジョブを実行する。また、画像形成装置１０１は、同時に用紙タイプ検知を実施して検知結果をカセット１の用紙タイプとして登録する。ここでプリントジョブ５０２では用紙タイプは指定されていないため、画像形成装置１０１は、検知結果によらず印刷を行う。
【００２０】
次に用紙タイプの指定があるプリントジョブ５０５を受信した場合について説明する。画像形成装置１０１は、プリントジョブの給紙設定情報と各カセットの用紙設定情報とを比較し、給紙設定情報で指定された用紙タイプ用紙サイズが共に一致するカセットがないため用紙なしと判断する。そして、画像形成装置１０１は、用紙サイズは一致するが用紙タイプが未登録であるカセット１に対して用紙タイプ検知を実施する。検知結果が給紙設定情報で指定された用紙タイプと一致した場合（ここでは普通紙）、画像形成装置１０１は、印刷を継続してジョブ実行し、検知結果をカセット１の用紙タイプに登録し用紙設定情報を５０６のように更新する。検知結果が給紙設定情報で指定された用紙タイプと一致しない場合（ここでは厚紙）、画像形成装置１０１は、印刷を中断して（白紙のまま用紙を出力）、ジョブ停止し、検知結果をカセット１の用紙タイプに登録し用紙設定情報を５０７のように更新する。
従来の画像形成装置はプリントジョブ５０５を受信した場合に用紙なしと判断した時点でジョブ停止しており、実際には指定された給紙設定情報と一致するカセットが存在する場合でもジョブ停止してしまい利便性がよくなかった。本実施形態では用紙タイプが未登録のカセットに対して用紙タイプ検知を実施することで不要なジョブ停止を回避している。
【００２１】
以下に示す図８について本実施形態を実現する制御プログラムはＲＯＭ１０７等に格納されており、記憶部１０８にロードされて、ＣＰＵ１０６によって実行されるものである。
図８は、本実施形態の情報処理の一例を示すフローチャートである。図８では、画像形成装置がプリントジョブを受信してジョブ実行又はジョブ停止するまでの制御を示している。
ＣＰＵ１０６は、外部装置接続部１０２から受信したプリントジョブのデータから給紙設定情報（カセット、用紙タイプ、用紙サイズ）を取得する（Ｓ６０１）。プリントジョブの給紙設定情報は図６で示したような設定パターンであるので、ＣＰＵ１０６は、カセット指定（設定パターン１又は２）か用紙タイプ指定（設定パターン３）かを判断する（Ｓ６０２）。カセット指定である場合（Ｓ６０２において「カセット指定」）、ＣＰＵ１０６は、更にそれが自動か固定かを判断する（Ｓ６０３）。
カセット指定が自動である場合（Ｓ６０３において「自動」：設定パターン１）、ＣＰＵ１０６は、印刷部１０４のカセットから給紙設定情報と用紙サイズが一致するカセットを検索する（Ｓ６０４）。用紙サイズが一致するカセットがあったか場合（Ｓ６０５においてＹＥＳ）、ＣＰＵ１０６は、前記カセットから給紙してジョブを実行する（Ｓ６２０）。一方、用紙サイズが一致するカセットがなかった場合（Ｓ６０５においてＮＯ）、ＣＰＵ１０６は、ジョブを停止する（Ｓ６３０）。
また、カセット指定が固定である場合（Ｓ６０３において「固定」：設定パターン２）、ＣＰＵ１０６は、給紙設定情報で指定されたカセットにおいて給紙設定情報と用紙サイズが一致するかを判断する（Ｓ６０６）。給紙設定情報で指定されたカセットにおいて給紙設定情報と用紙サイズが一致する場合（Ｓ６０６においてＹＥＳ）、ＣＰＵ１０６は、ジョブを実行する（Ｓ６２０）。一方、給紙設定情報で指定されたカセットにおいて給紙設定情報と用紙サイズが一致しない場合（Ｓ６０６においてＮＯ）、ＣＰＵ１０６は、ジョブを停止する（Ｓ６３０）。
【００２２】
また、用紙タイプ指定である場合（Ｓ６０２において「用紙タイプ指定」：設定パターン３）、ＣＰＵ１０６は、印刷部１０４のカセットから給紙設定情報と用紙サイズ、用紙タイプが共に一致するカセットを検索する（Ｓ６０７）。一致するカセットがあった場合（Ｓ６０８においてＹＥＳ）、ＣＰＵ１０６は、そのカセットから給紙してジョブを実行する（Ｓ６２０）。一方、一致するカセットがなかった場合（Ｓ６０８においてＮＯ）、ＣＰＵ１０６は、給紙設定情報と用紙サイズとは一致するが用紙タイプが未登録のカセットを検索する（Ｓ６０９）。該当するカセットがなければ（Ｓ６１０においてＮＯ）、ＣＰＵ１０６は、ジョブを停止する（Ｓ６３０）。該当するカセットがあれば（Ｓ６１０においてＹＥＳ）、ＣＰＵ１０６は、そのカセットに対して用紙タイプ検知の処理を実行する（Ｓ６１１）。そして、ＣＰＵ１０６は、検知結果の用紙タイプのそのカセットの用紙設定情報に登録する（Ｓ６１２）。ＣＰＵ１０６は、検知結果が給紙設定情報と一致しているか否か、即ち検知結果の用紙タイプと給紙設定情報の用紙タイプとが一致しているか否か、を判定する（Ｓ６１３）。一致していれば（Ｓ６１３においてＹＥＳ）、ＣＰＵ１０６は、ジョブを実行する（Ｓ６２０）。一致していなければ（Ｓ６１３においてＮＯ）、ＣＰＵ１０６は、印刷を中断し、白紙のまま用紙を出力する（Ｓ６１４）。Ｓ６１４の処理の後、ＣＰＵ１０６は、再度、給紙設定情報と用紙サイズとは一致するが用紙タイプが未登録のカセットを検索する（Ｓ６０９）。
Ｓ６０４、Ｓ６０７、Ｓ６０９における検索処理において、ＣＰＵ１０６は、例えば、上段のカセットから順に検索を行う。
【００２３】
本実施形態の処理によれば、用紙タイプが指定されたプリントジョブにおいて用紙タイプが未登録のカセットに対して用紙タイプ検知を実施することで不要なジョブ停止を回避でき利便性が向上するという効果がある。
【００２４】
＜その他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読み出し実行する処理でも実現可能である。また、１以上の機能を実現する回路（例えば、ＡＳＩＣ）によっても実現可能である。
【００２５】
以上、上述した各実施形態によれば、用紙なしで不要にジョブが停止することを回避し、ユーザの利便性を向上させることができる。
【符号の説明】
【００２６】
１０１  画像形成装置、１０６  ＣＰＵ、１０５  操作部、１０８  記憶部
【図１】
0006425545.tif 000002
【図２】
0006425545.tif 000003
【図３】
0006425545.tif 000004
【図４】
0006425545.tif 000005
【図５】
0006425545.tif 000006
【図６】
0006425545.tif 000007
【図７】
0006425545.tif 000008
【図８】
0006425545.tif 000009